(57)【要約】【課題】広い盤内スペースが取れない場合にも、主幹回路のみならず分岐回路についても電流を監視し、電流警報を出力することができる監視機能付分電盤を提供する。【解決手段】本発明の監視機能付分電盤は、主幹ブレーカ１１と、分岐ブレーカ１３と、主幹ブレーカの電流警報出力機能を備えた監視装置１６とからなる。各分岐ブレーカ１３は電流警報出力機能を内蔵した電流警報付配線用遮断器であり、各分岐ブレーカの電流警報出力を監視装置１６に入力することにより、主幹回路と分岐回路をそれぞれ監視可能とした。【選択図】図２
2008289301.tif 000002
【特許請求の範囲】
【請求項１】
主幹ブレーカと、分岐ブレーカと、主幹ブレーカの電流警報出力機能を備えた監視装置とからなり、各分岐ブレーカは電流警報出力機能を内蔵した電流警報付配線用遮断器であり、各分岐ブレーカの電流警報出力を前記監視装置に入力することにより、主幹ブレーカと分岐ブレーカとの電流警報をそれぞれ監視可能としたことを特徴とする監視機能付分電盤。
【請求項２】
電流警報付配線用遮断器は電流警報出力用のコネクタ部を備え、各コネクタ部を順次接続する渡りコネクタセットにより、各分岐ブレーカの電流警報出力を一括して監視装置に入力することを特徴とする請求項１記載の監視機能付分電盤。
【発明の詳細な説明】
【技術分野】
【０００１】
本発明は、主幹回路または分岐回路を流れる電流が定格に近づいたことを監視し、回路遮断に先立って電流警報を出力することができる監視機能付分電盤に関するものである。
【背景技術】
【０００２】
分電盤は主幹ブレーカの二次側に多数の分岐ブレーカを接続したものであり、各分岐ブレーカの二次側はそれぞれ負荷回路に接続されている。住宅用の分電盤などでは電力会社との契約によって主幹回路の定格電流が設定されており、盤全体の電流が契約電流を超えると主幹ブレーカを作動させて主幹回路を遮断するようになっている。
【０００３】
しかし、小容量サーバのように回路が突然遮断されることによって大きなダメージを受ける機器が負荷に接続されているような場合には、負荷電流が増加したときに予め警報を発し、そのまま使用を継続すると回路が遮断される可能性があることを事前に警告する機能（電流警報機能）があると便利である。
【０００４】
そこで特許文献１に記載されているように、主幹ブレーカにＣＴを内蔵させるとともに、このＣＴにより検出された電流が定格に近づいたことを警告する電流警報装置（監視装置）を設けた分電盤が提供されている。しかしこの特許文献１の分電盤は主幹ブレーカに流れる電流を検出しているので、盤全体の過電流しか監視することができず、各分岐ブレーカに接続された分岐回路については電流警報を出力することはできなかった。
【０００５】
なお、各分岐回路についてもＣＴの外付けを行い、ＣＴの出力を個別に取り出して監視させ、電流警報機能を持たせることは不可能ではない。しかしその場合には、図１に示すように多数の分岐ブレーカ１の二次側配線２をそれぞれＣＴ３に貫通させ、各ＣＴ３の出力を端子装置４まで引き出さねばならないため、分電盤５の内部に多くのスペースを要することとなる。このため盤内スペースの余裕のない分電盤では、主幹回路と同様にＣＴを外付けしたり、ＣＴの出力配線を行うことはスペース的に困難であり、各分岐回路についても電流警報を出力できるようにすることは実際にはほとんど行われていなかった。
【特許文献１】特開２００１−２１８３１３号公報
【発明の開示】
【発明が解決しようとする課題】
【０００６】
本発明の目的は上記した従来の問題点を解決し、広い盤内スペースが取れない場合にも、主幹回路のみならず分岐回路についても電流を監視し、電流警報を出力することができる監視機能付分電盤を提供することである。
【課題を解決するための手段】
【０００７】
上記の課題を解決するためになされた本発明の監視機能付分電盤は、主幹ブレーカと、分岐ブレーカと、主幹ブレーカの電流警報出力機能を備えた監視装置とからなり、各分岐ブレーカは電流警報出力機能を内蔵した電流警報付配線用遮断器であり、各分岐ブレーカの電流警報出力を前記監視装置に入力することにより、主幹ブレーカと分岐ブレーカとの電流警報をそれぞれ監視可能としたことを特徴とするものである。
【０００８】
なお請求項２のように、電流警報付配線用遮断器は電流警報出力用のコネクタ部を備え、各コネクタ部を順次接続する渡りコネクタセットにより、各分岐ブレーカの電流警報出力を一括して監視装置に入力するように構成することが好ましい。
【発明の効果】
【０００９】
本発明の監視機能付分電盤は、各分岐ブレーカを電流警報出力機能を内蔵した電流警報付配線用遮断器とし、しかも各分岐ブレーカの電流警報出力を主幹ブレーカの監視装置に入力するようにしたので、分電盤の内部に十分なスペースのない場合にも、主幹回路のみならず分岐回路についても電流を監視し、電流警報を出力することができる。このため各回路について回路遮断の前に電力の使用状況を見直し、回路遮断に至るトラブルを回避することができる。
【００１０】
また請求項２のように、渡りコネクタセットにより、各分岐ブレーカの電流警報出力を一括して監視装置に入力するようにすれば、分岐ブレーカの数が多い場合にも配線を簡素化することが可能となり、スペースに余裕のない分電盤内部における配線作業を効率的に行うことができる。
【発明を実施するための最良の形態】
【００１１】
以下に本発明の好ましい実施形態を示す。
図２は本発明の分電盤の正面図であり、１０は分電盤の筺体、１１は主幹ブレーカ、１２はその二次側に接続された母線バー、１３はこの母線バー１２に入力端子をプラグイン接続された多数の分岐ブレーカである。図３にも示されるように、主幹ブレーカ１１への入力線１４にはＣＴ１５が取り付けられており、主幹ブレーカ１１に流れる電流、すなわち主幹回路の電流を検出している。
【００１２】
１６は主幹ブレーカの監視装置であって、複数の警報入力端子を備えており、ＣＴ１５の出力線１７を接続することによって主幹回路の電流を監視し、例えば定格の９０％を越える電流が検出された場合に電流警報を出力するものである。
【００１３】
上記のように主幹回路の電流を監視して電流警報を出力させることは特許文献１に記載の発明と同様であるが、本発明では各分岐ブレーカ１３として電流警報出力機能を内蔵した電流警報付配線用遮断器を用いている。
【００１４】
これは例えば図４に示すように、電流警報用のＣＴ２０をケース２１の内部に収納したものであり、電源側端子２２と固定接触子２３とを接続する電線２４がＣＴ２０の内部を貫通している。なおこの配線用遮断器は２極式のものであるが、漏電検出用のＺＣＴとは異なり、１極のみの電線２４を貫通させればよく、他の極の電線はＣＴ２０の外側を通過させてある。
【００１５】
このほか、ケース２１の内部には電流警報出力部を構成するリレー用基板２５、リレー２６、計測用メイン基板２７等が配置されている。計測用メイン基板２７はＣＴ２０によって検出された電流を計測するための電子素子を搭載した基板であり、リレー用基板２５は電流警報を出力するか否かを制御する基板である。
【００１６】
分岐ブレーカの場合には定格の８０％を越える電流が検出されたときにアラームを出すように設定されており、分岐回路にそのような電流が流れた場合にリレー用基板２５はリレー２６を動作させ、電流警報表示用のＬＥＤ２８を点灯させるとともに、電流警報信号を出力する。
【００１７】
図４、図５に示されるように、電流警報出力部のコネクタ３０はケース２１の負荷側端子２９と同一側面に設けられており、各分岐ブレーカ１３のコネクタ３０は、図２、図５のように渡りコネクタセット３１により順次直列に接続され、各分岐ブレーカ１３の電流警報出力は一括して監視装置１６に入力されている。監視装置１６は主幹ブ１１レーカと分岐ブレーカ１３との電流警報をそれぞれ監視可能である。
【００１８】
このような渡り配線を行えば、スペースに余裕がない場合にも配線作業は容易となる。また何れかの分岐ブレーカ１３から電流警報が出力された場合には、警報装置１６から警報を出すことができる。分岐回路については、この警報によってはどの分岐回路が危険であるかを直接判別することはできないが、警報が出た場合には分電盤を開けば電流警報を出力している分岐ブレーカ１３の電流警報表示用のＬＥＤ２８が点灯しているため、容易に判別することができる。特に分電盤の扉面を透明樹脂製パネルとしておけば、扉を閉じたままでも電源状態の目視確認が可能である。
【００１９】
なお、全部の分岐ブレーカ１３を一括するのではなくいくつかのブロックに区画し、各ブロック内で渡り配線を行うとともに、警報装置３６の警報を主幹、ブロック１、ブロック２、ブロック３等と区別できるようにすることもできる。
【００２０】
なお、本実施形態では分岐の電流警報を定格電流の８０％、主幹の電流警報を定格電流の９０％に設定するものとしたが、この設定値は適宜変更できるようにしておくことも可能である。
【００２１】
以上に説明したように、本発明の監視機能付分電盤は広い盤内スペースが取れない場合にも、主幹回路のみならず分岐回路についても電流を監視し、電流警報を出力することができる。
【図面の簡単な説明】
【００２２】
【図１】従来技術を示す分電盤の正面図である。
【図２】本発明の分電盤を示す正面図である。
【図３】要部の拡大斜視図である。
【図４】分岐ブレーカの内部構造を示す斜視図である。
【図５】渡り配線を示す斜視図である。
【符号の説明】
【００２３】
１  従来例における分岐ブレーカ
２  二次側配線
３  ＣＴ
４  端子装置
５  分電盤
１０  本発明の分電盤の筺体
１１  主幹ブレーカ
１２  母線バー
１３  分岐ブレーカ
１４  入力線
１５  ＣＴ
１６  監視装置
１７  ＣＴの出力線
２０  電流警報用のＣＴ
２１  ケース
２２  電源側端子
２３  固定接触子
２４  電線
２５  リレー用基板
２６  リレー
２７  計測用メイン基板
２８  ＬＥＤ
２９  負荷側端子
３０  コネクタ
３１  渡りコネクタセット
【図１】
2008289301.tif 000003
【図２】
2008289301.tif 000004
【図３】
2008289301.tif 000005
【図４】
2008289301.tif 000006
【図５】
2008289301.tif 000007